(57)【要約】      （修正有）【課題】ハンドルを有していない工具から、工具を制御するオペレータの能力を高めるハンドルを有する工具へのロータリー切断工具の転換を可能にすることができるロータリー切断工具のためのアタッチメントを提供する。【解決手段】このアタッチメントは、同アタッチメントがロータリー切断工具に結合されたときに、ロータリー切断工具の中心軸線にほぼ直角であるハンドルを含んでいる。更にアタッチメントは、同アタッチメントをロータリー切断工具に結合するようになされた部材を有する本体を含んでおり、ハンドルは本体と一体に形成されている。【選択図】図１
2004209642.tif 000002
【特許請求の範囲】
【請求項１】
ロータリー切断工具に選択的に結合されるアタッチメントであって、
当該アタッチメントがロータリー切断工具に結合されているときに、同ロータリー切断工具の中心長手軸線にほぼ直角であるハンドルを含んでいる、アタッチメント。
【請求項２】
請求項１に記載のアタッチメントであって、
当該アタッチメントを前記ロータリー切断工具に結合するための部材を有している本体を更に含み、前記ハンドルが前記本体と一体化されて形成されている、アタッチメント。
【請求項３】
請求項２に記載のアタッチメントであって、
当該アタッチメントを前記ロータリー切断工具に結合するための部材が、ロータリー切断工具内に設けられた穴内に挿入できるような形状とされている回転可能な部材である、アタッチメント。
【請求項４】
請求項２に記載のアタッチメントであって、
当該アタッチメントを前記ロータリー切断工具に結合するための部材が、ロータリー切断工具の一部分の周囲を締め付けるような構造とされたカラーである、アタッチメント。
【請求項５】
請求項２に記載のアタッチメントであって、
前記本体に対して、伸長位置と後退位置との間に選択的に調整可能であるベースを更に含んでいる、アタッチメント。
【請求項６】
請求項５に記載のアタッチメントであって、
前記ベースがシャフトに結合され、同シャフトは、前記本体の一部分内で摺動するような構造とされている、アタッチメント。
【請求項７】
請求項６に記載のアタッチメントであって、
前記シャフトが概して台形の断面形状を有している、アタッチメント。
【請求項８】
請求項６に記載のアタッチメントであって、
前記シャフトが、三角形、五角形、六角形、ダイヤモンド形状、菱形及び八角形から選択された断面形状を有している、アタッチメント。
【請求項９】
請求項５に記載のアタッチメントであって、
前記ベースに選択的に結合するような構造とされた切刃ガイドを更に含んでいる、アタッチメント。
【請求項１０】
請求項５に記載のアタッチメントであって、
前記ベースに選択的に結合することができる構造とされたガイドを更に含み、同ガイドは、その中に工具ビットを受け入れるような構造とされた開口部を含んでいる、アタッチメント。
【請求項１１】
請求項１０に記載のアタッチメントであって、
前記開口部が、前記ベースの面から延びている伸長部によって規定されており、同伸長部は、板ゲージの一部分に当接するような構造とされている、アタッチメント。
【請求項１２】
請求項５に記載のアタッチメントであって、
前記ベースに選択的に結合できる構造とされたゴミ収集装置を更に含んでいる、アタッチメント。
【請求項１３】
請求項１に記載のアタッチメントであって、
前記ハンドルが、同ハンドルが前記ロータリー切断工具の中心長手軸線にほぼ直角である第１の位置と、前記ハンドルが前記ロータリー切断工具の中心長手軸線にほぼ平行である第２の位置との間に選択的に配置することができるようになされた、アタッチメント。
【請求項１４】
請求項１に記載のアタッチメントであって、
当該アタッチメント内に設けられた区画室を更に含み、それによって、同区画室は、前記ロータリー切断工具と共に使用するための工具及び工具ビットのうちの少なくとも一つを貯蔵するための場所を提供するようになされた、アタッチメント。
【請求項１５】
ロータリー切断工具システムであって、
ハウジングと中心長手軸線とを有するロータリー切断工具と、
前記ハウジングに選択的に結合されるようになされた第１のアタッチメントであって、同第１のアタッチメントが前記ロータリー切断工具のハウジングに結合されたときに、前記ロータリー切断工具の中心長手軸線にほぼ直角に設けられた把持面を有するハンドル部分を含んでいる第１アタッチメントと、を含み、
前記ロータリー切断工具は、前記第１のアタッチメントが前記ハウジングに結合されるようになされた第１の作動モードと、前記第１のアタッチメントが前記ロータリー切断工具から取り外された第２の作動モードと、により作動することができるようになされた、ロータリー切断工具システム。
【請求項１６】
請求項１５に記載のロータリー切断工具システムであって、
前記ハウジングに選択的に結合されるようになされた第２のアタッチメントを更に含み、同第２のアタッチメントは、同第２のアタッチメントが前記ロータリー切断工具のハウジングに結合されたときに中心長手軸線にほぼ平行に設けられた把持面を有するハンドル部分を含み、前記ロータリー切断工具は、前記第１のアタッチメントが前記ハウジングに結合されている第１の作動モードと、前記第２のアタッチメントが前記ロータリー切断工具に結合されている第２の作動モードと、により作動することができるようになされた、ロータリー切断工具システム。
【請求項１７】
請求項１５に記載のロータリー切断工具システムであって、
前記第１のアタッチメントが、同第１のアタッチメントを前記ロータリー切断工具に選択的に結合させるための少なくとも２つの部材を有している本体を更に含んでいる、ロータリー切断工具システム。
【請求項１８】
請求項１７に記載のロータリー切断工具システムであって、
前記２つの部材が、前記ロータリー切断工具のハウジング内に設けられた穴内に挿入できるような構造とされた回転可能な部材と、前記ロータリー切断工具のハウジングの一部分の周囲を締め付けるためのカラーと、を含んでいる、ロータリー切断工具システム。
【請求項１９】
請求項１５に記載のロータリー切断工具システムであって、
前記第１のアタッチメントがベースを含み、同ベースは、同ベースのための伸長位置と後退位置との間に選択的に配置することができるようになされている、ロータリー切断工具システム。
【請求項２０】
請求項１９に記載のロータリー切断工具システムであって、
前記第１のアタッチメントが本体を含んでおり、前記ベースがシャフトによって前記本体に結合されている、ロータリー切断工具システム。
【請求項２１】
請求項２０に記載のロータリー切断工具システムであって、
前記シャフトが概して台形の断面を有している、ロータリー切断工具システム。
【請求項２２】
請求項２０に記載のロータリー切断工具システムであって、
前記シャフトが、前記アタッチメントが前記ロータリー切断工具に結合されているときに前記本体の捻れに耐えるような構造とされている断面形状を有している、ロータリー切断工具システム。
【請求項２３】
請求項１５に記載のロータリー切断工具システムであって、
前記第１のアタッチメントが、工具を貯蔵するための少なくとも一つの区画室を含んでいる、ロータリー切断工具システム。
【請求項２４】
請求項１５に記載のロータリー切断工具システムであって、
前記第１のアタッチメントが、工具ビットを貯蔵するための少なくとも一つの区画室を含んでいる、ロータリー切断工具システム。
【請求項２５】
少なくとも２つの異なる作動モードのうちの一つのモードで作動するようになされたロータリー切断工具であって、
長手軸線を有する工具ビットを支持するようになされた工具ハウジングと、同工具ハウジングに選択的に結合されるようになされた第１のアタッチメントとを含み、同第１のアタッチメントは、同第１のアタッチメントが当該ロータリー切断工具のハウジングに結合されているときに工具ビットの長手軸線にほぼ直角に設けられた把持面を有するハンドル部分を含んでおり、前記少なくとも２つの異なる作動モードのうちの第１の作動モードは、前記第１のアタッチメントが前記ハウジングに結合されてユーザーが前記第１のアタッチメントのハンドル部分を把持することができるようになされたときになされ、前記少なくとも２つの異なる作動モードのうちの第２の作動モードは、前記第１のアタッチメントが前記ハウジングから取り外されてユーザーが前記工具ハウジングを把持することができるようになされたときになされる、ようになされたロータリー切断工具。
【請求項２６】
請求項２５に記載のロータリー切断工具であって、
前記第１のアタッチメントが、同第１のアタッチメントを当該ロータリー切断工具に選択的に結合するための少なくとも２つの部材を有している本体を更に含んでいる、ロータリー切断工具。
【請求項２７】
請求項２６に記載のロータリー切断工具であって、
前記２つの部材が、当該ロータリー切断工具のハウジング内に設けられた穴内に挿入できるような構造とされた回転可能な部材と、当該ロータリー切断工具のハウジングの一部分の周囲を締め付けるためのカラーと、を含んでいる、ロータリー切断工具。
【請求項２８】
請求項２５に記載のロータリー切断工具であって、
前記第１のアタッチメントが、前記ベースに対する伸長位置と後退位置との間に選択的に配置することができるベースを含んでいる、ロータリー切断工具。
【請求項２９】
請求項２８に記載のロータリー切断工具であって、
前記ベースが、前記ベースに対する伸長位置と後退位置との間の複数の位置のうちの一つに選択的に配置することができるようになされた、ロータリー切断工具。
【請求項３０】
請求項２５に記載のロータリー切断工具であって、
前記第１のアタッチメントが本体を含み、前記ベースがシャフトによって前記本体に結合されている、ロータリー切断工具。
【請求項３１】
請求項３０に記載のロータリー切断工具であって、
前記シャフトが概して台形の断面を有している、ロータリー切断工具。
【請求項３２】
請求項３０に記載のロータリー切断工具であって、
前記シャフトが、前記アタッチメントが当該ロータリー切断工具に結合されたときに前記本体の捻れに耐える構造とされている断面形状を有している、ロータリー切断工具。
【請求項３３】
請求項２５に記載のロータリー切断工具であって、
前記第１のアタッチメントが、工具を貯蔵するための少なくとも一つの区画室を含んでいる、ロータリー切断工具。
【請求項３４】
請求項２５に記載のロータリー切断工具であって、
前記第１のアタッチメントが、工具ビットを貯蔵するための少なくとも一つの区画室を含んでいる、ロータリー切断工具。
【請求項３５】
請求項２５に記載のロータリー切断工具であって、
前記ハウジングに選択的に結合することができるようになされた第２のアタッチメントを更に含み、同第２のアタッチメントは、同第２のアタッチメントが当該ロータリー切断工具のハウジングに結合されたときに、工具ビットの長手軸線にほぼ平行に設けられた把持面を有するハンドル部分を含んでおり、前記少なくとも２つの異なる作動モードのうちの第３の作動モードが、前記第２のアタッチメントが前記ハウジングに結合されてユーザーが前記第２のアタッチメントの前記ハンドル部分を把持することができるようになされたときになされるようになされた、ロータリー切断工具。
【発明の詳細な説明】
【技術分野】
【０００１】
本発明は、概して、電動工具のためのアタッチメントに関する。より特定すると、本発明は、ロータリーの切り取り工具又は切断工具のような手持ち型の電動工具と共に使用するためのハンドルアタッチメントに関する。
【背景技術】
【０００２】
ロータリー切り取り又は切断工具は、切断工具ビットを高速で回転させるようになされた電動モーターを有している手持ち型の電動工具である。切断工具ビットは、同切断工具ビットの側壁に沿って配置された切断部分を含んでいる（例えば、切断工具ビットは、ビットの軸線を中心に螺旋状に巻かれている鋭利な切刃を含んでいても良い）。ロータリー切断工具は、ほぼ円筒形のハウジング内に配設された電動モーターと、ハウジングの下方部分からハウジングの軸線に沿って延びているロータリー切断工具ビットとを含んでいる。ロータリー切断工具は、加工物（例えば、合板又は壁板）を、切断工具ビットの軸線に直角な方向に切断するように設計されている。
【０００３】
一般的には、ロータリー切断工具は、工具のハウジングを片方又は両方の手で把持し、電動モーターの電源を入れて切断工具ビットの回転を開始させ、切断工具ビットを加工物内へと動かし、次いで、ハウジングを加工物の面に平行な方向に動かすことによって、切断工具ビットの長手軸線に直角な方向に切断工具ビットを加工物の中を移動させることによって作動せしめられる。ロータリー切断工具によってなされる切断の制御は、工具のハウジングをしっかりと把持することによって、加工物に対して工具を適正に位置決めするオペレータの能力に依存する。ロータリー切断工具の作動中において、種々のファクタ、（例えば、加工物内の不規則性、オペレータが疲れてハウジングを把持することができないこと及びモーターからの高い熱によってオペレータがハウジングを把持できなくなること等によって生じる振動）が、オペレータが正しい制御を行うのを阻止されるかも知れない。
【０００４】
ロータリー切断工具のためのアタッチメントは、一般的に知られており、オペレータに工具の改良された制御を提供するように意図された取り外し可能なハンドルを含んでいる。ロータリー切り取り又は切断工具のための公知の取り外し可能なハンドルアタッチメントは、典型的には、アタッチメントを、特定の製造者による又は特定のモデルのロータリー切り取り又は切断工具に取り付けるように設計された取り付け構造を有している。更に、公知の取り外し可能なハンドルアタッチメントの構造は、オペレータが工具に対して所望量の制御を達成することを可能にしないかも知れない。典型的には、このようなアタッチメントは、ロータリー切り取り又は切断工具にほぼ平行な位置に堅固に固定されているハンドル部分を含んでいる。
【０００５】
従って、ハンドルを有していない工具から、工具を制御するオペレータの能力を高めるハンドルを有する工具へのロータリー切断工具の転換を可能にすることができるロータリー切断工具のためのアタッチメントを提供することは有利である。種々の異なる構造（例えば、異なる形状、設計、大きさ等）を有するロータリー切断工具に結合することができるアタッチメントを提供することが更に有利である。更に、アタッチメントが取り付けられるロータリー切断工具（すなわち、糸鋸型の形状）の長手軸線にほぼ直角なハンドルを有しているアタッチメントを提供することが有利である。工具本体の軸線にほぼ平行な把持面を有するハンドルを備えた工具から、工具本体の軸線にほぼ直角な把持面を有するハンドルを備えた工具へのロータリー切断工具の転換を可能にすることができるアタッチメントを提供することもまた有利である。更に、伸長位置と後退位置との間でアタッチメントの本体に対して調節することができるベースを含んでいるアタッチメントを提供することが有利である。更に、（例えば、レンチ、工具ビット等のような貯蔵品のための）アタッチメント内に設けられた１以上の貯蔵場所を含むことができるアタッチメントを提供することもまた有利である。
【０００６】
従って、これらの又はその他の有利な特徴を有しているアタッチメントを提供することは有利である。
【発明の開示】
【０００７】
本発明は、ロータリー切断工具に選択的に結合するためのアタッチメントに関する。このアタッチメントは、同アタッチメントがロータリー切断工具に結合されたときに、ロータリー切断工具の中心軸線にほぼ直角であるハンドルを含んでいる。
【０００８】
もう一つ別の実施形態においては、アタッチメントは、同アタッチメントをロータリー切断工具に結合するようになされた部材を有する本体を含んでおり、ハンドルは本体と一体に形成されている。
【０００９】
もう一つ別の実施形態においては、アタッチメントは、同アタッチメントの本体に対して、伸長位置と後退位置との間で選択的に調整可能であるベースを含んでいる。シャフトが、ベースとアタッチメントの本体との間に延びており、それによって、シャフトは、本体の一部分内を摺動するような構造とされているのが好ましい。シャフトは、三角形、五角形、六角形、ダイヤモンド形状、菱形、八角形又は好ましい形状すなわち台形のような如何なる種々の断面形状をも有することができる。
【００１０】
もう一つ別の実施形態においては、切刃ガイドがベースに結合される。更に別の実施形態においては、ゴミ収集装置がベースに選択的に結合される構造とすることができる。更にもう一つ別の実施形態においては、貯蔵区画室を、工具又は工具ビットの貯蔵のためにアタッチメント内に設けることができる。
【００１１】
本発明は、更に、ハウジング及び中心軸線を有するロータリー切断工具を有するロータリー切断工具システムに関する。このシステムは、更に、ハウジングに選択的に結合されるようになされた第１のアタッチメントを含んでいる。第１のアタッチメントは、同アタッチメントがロータリー切断工具のハウジングに結合されたときに、中心長手軸線にほぼ直角に設けられた把持面を有しているハンドル部分を含んでいる。このロータリー切断工具は、第１のアタッチメントがハウジングに結合されたときに第１の作動モードで作動し、第１のアタッチメントがロータリー切断工具から取り外されると第２の作動モードで作動する。
【００１２】
もう一つ別の実施形態においては、ロータリー切断工具システムは、更に、ハウジングに選択的に結合されるようになされた第２のアタッチメントを含んでいる。第２のアタッチメントは、同第２のアタッチメントがロータリー切断工具のハウジングに結合されたときに、工具の中心軸線に沿ってほぼ平行である把持面を備えたハンドルを含んでいる。
【００１３】
本発明は更に、少なくとも２つの異なる作動モードのうちの一つのモードで作動するようになされたロータリー切断工具に関する。このロータリー切断工具は、長手軸線を有する工具ビットを支持するようになされた工具ハウジングと、同ハウジングに選択的に結合されるようになされた第１のアタッチメントとを含んでいる。第１のアタッチメントは、同第１のアタッチメントがロータリー切断工具のハウジングに結合されたときに、工具ビットの長手軸線にほぼ直角に設けられた把持面を有するハンドル部分を含んでいる。ユーザーが第１のアタッチメントのハンドル部分を把持することができるように同第１のアタッチメントがハウジングに結合されているときに、少なくとも２つの異なる作動モードのうちの第１のモードがもたらされ、ユーザーが工具ハウジングを把持することができるように第１のアタッチメントがハウジングから取り外されたとき、少なくとも２つの異なる作動モードのうちの第２のモードがもたらされる。
【好ましい実施形態の詳細な説明】
【００１４】
図１乃至２４を参照すると、ロータリー切断又は切り取り工具に限定されないようなロータリー切断工具のためのアタッチメントが示されている。ロータリー切断工具の非限定的な例が、米国特許第６，４４３，６７６号、第６，０４８，２６０号、第５，９０２，０８０号、Ｄ４３９，４８４及びＤ４３９，１２２並びに米国特許第６，４４３，６７５号に示され且つ記載されており、これらの各々は、本明細書に参考として特に組み入れられており且つ本願発明及び出願の譲受人でもあるＲｏｂｅｒｔ  Ｂｏｓｃｈ  Ｔｏｏｌ  Ｃｏｒｐｏｒａｔｉｏｎに譲渡されている。本明細書及び上記の参考として組み入れられた特許及び出願に示され且つ記載されているロータリー切断工具は、Ｒｏｂｅｒｔ  Ｂｏｓｃｈ  Ｔｏｏｌ  Ｃｏｒｐｏｒａｔｉｏｎによって製造され且つ販売されているけれども、他の製造者による他のモデルの工具もまた、ここに記載されている発明と組み合わせて使用することができることは明記しておく。
【００１５】
本発明によるアタッチメント１０が、図１においてロータリー切断工具と結合された状態で示されている。ロータリー切断工具は、高速、典型的には無負荷状態で１０，０００ｒｐｍを超える速度で切断工具ビットを回転させる電動モーターを有している手持ち型の電動工具である。ロータリー切断工具とドリルのようなその他の電動工具との間の一つの重要な違いは、切断ビットの回転速度である。ロータリー切断工具において採用することができる例示的な電動モーターは、３０，０００ｒｐｍの無負荷回転速度を有する一般的な４アンペア１１５〜１２０ＶのＡＣ電動モーターである。１つの速度、２つの速度又は可変速度のモーターのような他の電動モーターを、３〜５アンペアのアンペア数で１５，０００ｒｐｍ、２０，０００ｒｐｍ、２５，０００ｒｐｍ、３５，０００ｒｐｍの無負荷回転速度の範囲で採用することもでき、又はそれ以上のものを使用することもできる。切断工具を駆動する電動モーターは、ハウジング内に囲繞され且つ（図８及び９において軸Ａ−Ａとして示されている）切断工具ビットと同じ長手軸線に沿って位置決めされる。切断工具ビットは、電動モーター及び切断工具ビットの長手軸線に対して直角に切断するように設計されている。動作に応じて、電動モーター及び切断工具ビットの長手軸線は、加工物の表面又は面にほぼ直角に維持される。
【００１６】
図２乃至７により明確に示されているように、アタッチメント１０は、ハンドル部分１２と、アタッチメント１０をロータリー切断工具（例えば、手持ち型のロータリー切断又は切り取り工具等）に結合するか又は固定するための装置又は機構１４，１６と、を含んでいる。好ましい実施形態においては、アタッチメント１０は、シャフト２０によってアタッチメント１０の本体１１に結合されたベース１８をも含んでいる。
【００１７】
ハンドル１２は、第１の面３０と第２の面３２とを含んでいる。ハンドル部分１２は、オペレータの手のひらが第２の面３２に隣接して配置され、オペレータの指が第１の面３０に隣接して配置されるような形状とされている。第１の面３０とアタッチメント１０の底部３４とは、オペレータの指が挿入される開口部又は穴３６を画成している。従って、第１の面３０と第２の面３２とは、アタッチメントのユーザーによって把持されるハンドルを形成するように機能する。
【００１８】
ハンドル１２は、“糸鋸”型のハンドルと類似した方法で使用する構造とされている。このような方法で、ハンドル部分１２は、第１の面３０と第２の面３２とのうちの少なくとも一つが、アタッチメント１０が結合されるロータリー切断工具の長手軸線（図８及び図９におけるＡ−Ａ）にほぼ直角に配置されるような構造とされている。従って、ハンドル１２は、“糸鋸”型のハンドルに似た方法で、ロータリー切断工具に結合されたときに、ロータリー切断工具の長手軸線にほぼ直角に延びるように記載することができる。このような構造を、各図面に示し且つ以下において更に詳細に説明する。このような方法で、糸鋸型のハンドルを、横方向に加工物内に切れ目を形成するようになされ且つこのような構造とされているロータリー切断工具のために設けることができる（例えば、工具に結合された工具ビットを加工物の表面を横切って動かすことによって、工具ビットが面に沿って動かされるときに加工物内に切れ目が形成される）。ここに記載した糸鋸型のハンドルを設けることは、ユーザーが、このようなハンドルが切り取り工具に対して設けられていなかった場合よりも高い制御によって、加工物内に切れ目を形成することが出来るように意図されている。更に、ロータリー切断工具に糸鋸型ハンドルを設けることに伴う有利な特徴が、上記され且つ本願を通して説明される。
【００１９】
本明細書を通して使用されている“ほぼ垂直”という用語は、“直角でない場合よりもより直角である”ことを意味していることが理解されるべきである。従って、アタッチメント１０に結合されたロータリー切断工具の軸線に対するハンドル（及び面３０及び３２）の角度は、本発明から逸脱することなく、正確な直角から数度だけ変更させても良い。
【００２０】
ベース１８をアタッチメント１０の本体１１に結合しているシャフト２０は、本体１１内に受け入れられ、本体１１に対して伸長した位置と後退した位置との間を摺動し且つ同伸長位置と後退位置との間の全ての点の間を摺動するような構造とされている。伸長位置と後退位置との間の調整は、図３．Ａ及び３．Ｂに最も明確に示されている。図３．Ａは、後退位置にあるベース１８を図示しており、一方、図３．Ｂは、伸長位置にあるベース１８を示している。
【００２１】
図７に最も明確に示されているように、アタッチメント１０は、ねじ５３のような複数の一般的な締結部材によって互いに固定された第１の部分１３と第２の部分１５とによって二枚貝形状に形成されるのが好ましい。蝶ねじのような結合部材２２が、シャフト２０内に設けられている穴又は開口部２４内に受け入れられる。結合部材２２は、アタッチメント１０の第１部分１３内に形成された穴２３を介し、シャフト２０内に形成された穴２４を介し、最後に、アタッチメント１０の第２の部分１５内に形成された開口部又は穴２５を介して挿入される。穴２３、２５の一方又は両方は、結合部材２２の伸長された部分を内部に受け入れる構造とされたナットを含んでいても良い。例えば、図３．Ｃは、第２の部分１５内に取り付けられ且つ結合部材２２の末端２９を受け入れる構造とされたナット２７を図示している。好ましい実施形態に従って、結合部材２２は、如何なる工具（例えば、ねじ回し、レンチ等）を使用することなく締め付けたり緩めたりすることができる。代替的な実施形態に従って、結合部材２２は、種々の工具のいずれかを使用して穴２４との結合を提供する構造とされていても良い。
【００２２】
（例えば、結合部材２２を、その軸線に対して時計方向に回転させることによって）結合部材２２を締め付けることは、ナット２７を第１の本体部分１３及びシャフト２０の方へ引き寄せ、２つの本体部分１３、１５をベース１８に対して固定した状態に固定する役目を果たす（例えば、シャフト２０は、本体１１に対して摩擦によって固定される）。例えば、ナット２７の面１７は、結合部材２２が締め付けられると、シャフト２０の面２５に対して付勢される。このようにして、第１の本体部分１３とナット２７とは、シャフト２０の周囲に押し付いて、本体１１をベース１８に対して固定した関係に固定する。
【００２３】
シャフト２０に形成された穴２４は、ベース１８が本体１１に対して伸長位置と後退位置との間を動くのを許容するための概して細長い形状を有している。ベース１８を本体１１に対して調整するために、結合部材２２は、（例えば、結合部材をその軸線を中心に反時計方向に回すことによって）緩められる。結合部材２２を緩めることは、シャフト２０に対する第１の本体部分１３及びナット２７の摩擦による把持を緩める役目を果たす。次いで、ベース１８は、ベース１８及びシャフト２０を結合部材２２及び本体１１に対して滑らせることによって動かしても良い。結合部材２２は、ベース１８が本体１１に対して近づき或いは遠ざかるように動かされるときに結合部材２２の比較的抑制されない動きを許容するために、穴２４と係合することなく同穴２４内に挿入できる形状とされている。
シャフト２０は、アタッチメント１０に結合されたロータリー切断工具によって付与される種々の力（例えば、回転力又は引っ張り力）に耐える形状とされたサイズ及び形状を有している。例えば、図７に示されているように、シャフト２０は、ほぼ台形の断面形状を有している。シャフト２０の台形形状は、アタッチメント１０に結合されたロータリー切断工具が使用されているときに、本体１１のベース１８に対する捻り又は回転に対する比較的良好な耐性を提供する。図面に示された好ましい実施形態はほぼ台形の断面形状を有するシャフトを示しているけれども、捻り及び回転に対して比較的良好な耐性を提供するその他の形状もまた利用することができる。もう一つ別の実施形態に従って、シャフトは、クランプ方向（すなわち、図７において線４７によって示された結合部材２２がナット２７に対してクランプされる方向）に平行及び／又は直角でない面又は線を含んでいる、如何なる断面形状を有していても良い。例えば、シャフトは、三角形、五角形、六角形、ダイヤモンド形状、菱形、八角形、卵形、円、楕円又はその他の多数の形状のうちのいずれかの断面形状を有していても良い。
【００２４】
アタッチメント１０をロータリー切断工具に取り外し又は除去可能に結合させるための好ましい構造を、図１乃至９を参照して詳細に説明する。アタッチメント１０は、ロータリー切断工具に対して比較的迅速且つ容易に結合し又は取り外すことができる。図２に示されているように、回転可能部材又は要素７０（例えば、ロッド）がアタッチメント１０の一部分から延びている。回転可能部材７０は、ロータリー切断工具のハウジング内に形成された穴に挿入することができ、本体部分又はシャフト７３と、その末端に形成された径方向に延び且つ平らになされた部分７１と、を含んでいるのが好ましい。
【００２５】
回転可能な部材７０は、レバー機構７２に取り付けられており、少なくともその一部分はアタッチメント１０の外方へと延びていても良い。レバー機構７２は、例えば、オペレータの親指によって比較的容易に作動させることができる。このようにして、レバー機構７２と、同レバー機構に結合された回転可能な部材７０とは、回転可能な部材７０の軸線を中心に回転させて、アタッチメント１０をロータリー切断工具のハウジングに対して結合するか取り外すことができる。レバー機構７２が“開放”位置へと回転せしめられると、回転可能な部材７０の径方向に延び且つ平らになされた末端部分７１は、部材７０の末端がロータリー切断工具のハウジング内に形成された穴又は開口部内へ挿入できるような向きになる。レバー機構７２が“締め付け”位置へと回転されると、回転可能な部材７０の径方向に延びた平らになされた末端７１は、回転可能な部材７０が、ロータリー切断工具ハウジング内に形成された開口部内に比較的しっかりと係止されるか又は締結される。
【００２６】
アタッチメント１０はまた、第２の位置において、アタッチメント１０をロータリー切断工具に固定するために、ロータリー切断工具のハウジングに結合することができるカラー１６をも含んでいる。このようにして、アタッチメント１０は、ロータリー切断工具に比較的堅固に（例えば、アタッチメント１０をロータリー切断工具に固定するために、単一の取り付け箇所が設けられている場合には、より堅固に）結合することができ、従って、より大きな応力及び歪みに耐えることができる。
【００２７】
図面に示された例示的な実施形態に従って、カラー１６は、ロータリー切断工具ハウジングの一部分の周囲を緊密に締め付けるように作動せしめられるスプリット構造及び一般的なカム式の締め付け機構８０（例えば、オーバーセンター・ラッチング機構又は装置）を有している。このカム式の締め付け機構はまた、ロータリー切断工具ハウジングをカラー１６から取り外すために、同カラー１６を緩めるように作動せしめることもできる。アタッチメント１０をロータリー切断工具のハウジングから解放するために、ロータリー切断工具のハウジングの周囲に対するカラー１６の把持を緩めるために、カム式の締め付け機構８０は、ヒンジ８２を中心に回転せしめられる。アタッチメント１０をロータリー切断工具ハウジングに固定するためには、カム式の締め付け機構８０がヒンジ８２を中心に逆方向に回転せしめられ、カラー１６がロータリー切断工具ハウジングの一部分の周囲を締め付ける。
【００２８】
図面には、アタッチメント１０をロータリー切断工具に固定するための手段として、特別な装置及び機構が示されているけれども、代替的な実施形態に従って、他のタイプの機構又は装置を使用しても良い。例えば、例示的な実施形態に従って、アタッチメントの１以上の部分を、ねじ、ボルト又はその他の手段を使用して、ロータリー切断工具のハウジングに比較的堅固に締結しても良い（例えば、図１０に示された実施形態を参照のこと）。もう一つ別の代替的な実施形態に従って、アタッチメントの一部分が、ロータリー切断工具ハウジングの一部分に形成された開口部内に直接挿入されても良い。更に別の例示的な実施形態に従って、２つ以上の場所（例えば、３つ以上の場所）で、アタッチメントをロータリー切断工具ハウジングに結合しても良い。アタッチメントをロータリー切断工具ハウジングに堅固に結合するために、種々の取り付け機構のうちのいずれかを設けることができる。
【００２９】
好ましい実施形態に従って、アタッチメント１０はまた、工具５２（例えば、レンチ等）を貯蔵し又は配置することができる開口部又は穴５０をも含んでいても良い。このような実施形態の一つの例が図１乃至１２に示されている。レンチは、ユーザーが、工具ビット５７を定位置に固定するためにロータリー切断工具上に設けられたカラーナット５５又はその他の装置又は部材を締め付けるか緩めることができるようにする構造とすることができる。もう一つ別の実施形態に従って、アタッチメント内に形成された開口部又は穴内に、他のタイプの工具を設けても良い。
【００３０】
図９を参照すると、例示的な実施形態に従って、第１のロータリー切断工具１９５に結合された状態のアタッチメント１０が示されている。ロータリー切断工具１９５の頂部１９７は、ロータリー切断工具１９５がアタッチメント１０の頂部の上方に延びないように、アタッチメント１０の頂面に対して同面とされている。
【００３１】
図１を参照すると、もう一つ別の例示的な実施形態に従って、第２のロータリー切断工具２９５に結合された状態で、アタッチメント１０が示されている。図１０を参照すると、更に別の例示的な実施形態に従って、第３のロータリー切断工具３９５に結合された状態で、アタッチメント１０が示されている。これらの図に示されているように、頂部２９７及び３９７は、アタッチメント１０の頂面の上方に延びている。
【００３２】
工具１９５及び２９５の各々に設けられた穴４２は、アタッチメント１０を工具１９５及び２９５の各々に比較的堅固に締結するために、アタッチメントの回転部材７０を受け入れる構造とされている（工具２９５内に設けられた穴４２が図８に示されている）。アタッチメント１０を、ロータリー切断工具１９５及び２９５のいずれかと共に使用することを可能にするために、切断工具１９５及び２９５内において類似した位置に穴４２が設けられている。このような方法で、アタッチメント１０は、種々のロータリー切断工具に結合又は取り付けるようにし又はそのような構造とすることができる。例えば、アタッチメント１０は、アタッチメント１０をロータリー切断工具に結合させるためのアダプタ又は特別な器具を必要とすることなく、第１のロータリー切断工具から取り外し且つ第２のロータリー切断工具に結合することができる。ロータリー切断工具が回転部材７０を受け入れるための開口部４２を含んでいない場合（例えば、ロータリー切断工具３９５の場合）には、アダプタ２９８（図１０に示されている）が設けられ且つ蝶ねじ２９９又はその他の機構によってロータリー切断工具に結合されても良い。
【００３３】
図１乃至１６は、アタッチメント１０に結合するか又は接続することができる種々のアタッチメントを示している。図１１は、アタッチメント１０のベース１８に結合することができるゴミ収集装置１２５を示している。ゴミ収集装置１２５は、細長い開口部１２６と収集器部分１２７とを含んでいる。ゴミ収集装置１２５は、ロータリー切断工具が使用されている間に、ユーザーが、切断場所から切りくず又はその他の破片を除去することができるように真空源に結合されるようになされている。細長い開口部１２６は、アタッチメント１０が結合されているロータリー切断工具の切断場所から破片を吸引して取り除くために、外部のゴミ収集器（例えば、真空チューブ又はその他の機器）に結合する構造とされた大きさ及び形状を有することができる。ゴミ収集器１２５は、あらゆる一般的な方法を使用してベース１８又はロータリー切断工具に結合しても良い。例示的な実施形態に従って、ゴミ収集装置１２５は、アタッチメント１０へのゴミ収集装置１２５の比較的迅速で且つ簡単な取り付け（例えば、工具を使用することなく、ゴミ収集装置１２５をアタッチメントに結合するためのスナップ嵌合又はその他の手段）を提供する構造を含んでいる。
【００３４】
図１２は、細長い部材１３７（例えば、棒又はシャフト等）と、加工物の端縁に当接する形状とされている面１３９を有している本体部分１３８と、を含んでいる切刃ガイド１３５を示している。切刃ガイドは、一般的な方法を使用してアタッチメント１０に結合することができる。本体部分１３８の面１３９は、ロータリー切断工具及びアタッチメント１０が加工物の面に沿って横方向に動かされている間に、加工物の端縁に当接する。このようにして、切刃ガイドは、ロータリー切断工具が加工物の端縁から離れる方向に動いても良い距離を制限する役目を果たし、これによって、加工物のユーザーが、加工物の端縁から一定の距離のところに比較的真っ直ぐな切れ目を加工物内に形成することを可能にする。
【００３５】
図１３乃至１６は、アタッチメント１０及びロータリー切断工具のためのガイドとして機能する構造とされた装置７００（例えば、ガイド又は従動装置）と結合されて使用されるアタッチメント１０を示している。ガイド７００は、ロータリー切断工具に結合された工具ビットを受け入れるような構造とされている貫通して形成された開口部又は通路７０２を含んでいる。伸長部７１４（図１６に最も良く示されている）が、ガイド７００の底部から延びており且つ開口部７０２の一部分を画成している。
【００３６】
ガイド７００は、アタッチメント１０のベース１８に結合される構造とされている。例示的な実施形態に従って、ガイド７００は、ベース１８内に設けられた開口部又は切り欠き２１内に受け入れられる。例示的な実施形態に従って、ベース１８は、ガイド７００上に設けられた係合構造のための相補構造（例えば、クリップ又は結合部材７０４及び７０６並びにリブ７１２）を含んでいる。例えば、クリップ又は結合部材７０４及び７０６は、ガイド７００をベース１８に対して定位置に固定するためにベース１８の頂面３１と係合する構造とされている部品又は部材７１１を含んでいる。リブ７１１は、ベース１８内に設けられた切り欠き又は溝３３と係合している。このようにして、ガイド７００は、ロータリー切断工具の作動中、ベース１８に対して比較的堅固に結合される。代替的な実施形態に従って、ガイドをベースに結合するために、種々の結合部材のうちのいずれを使用しても良い。更に、アタッチメント１０には、ガイドをベース１８に結合するための種々の相補構造が形成されていても良い。更に、図面に示されているものとは異なる数の結合部材が設けられても良い。代替的な実施形態に従って、ガイドは、アタッチメントのためのベースと一体に形成されても良い。
【００３７】
図１６を参照すると、伸長部７１４は、加工物に対して切断動作が行われている間、板ゲージの構造又は端縁に当接することができる外側面又は壁を含んでいる。ガイド７００がアタッチメント１０のベース１８に結合されているとき、伸長部７１４は、ベース１８の底面１９の下方に延びている。伸長部７１４の外側面７２０は、板ゲージの一つの構造又は端縁に当接するように配置することができ、一方、ベース１８の底面１９は、板ゲージのもう一つ別の構造又は面（例えば、板ゲージ又は加工物の頂面）に沿って載置される。アタッチメント１０及びロータリー切断工具を、伸長部７１４の外側面７２０が板ゲージの一つの構造又は端縁に当接した状態で移動させることは、工具ビットと、伸長部７１４の外側面からの一つの構造又は端縁との間に規定された距離を維持する役目を果たし（すなわち、前記伸長部を貫通して伸長している工具ビットが設けられている）、このことにより、工具ビットは、加工物内に板ゲージの構造又は端縁の形状にならう切れ目を形成することができる。
【００３８】
例示的な実施形態に従って、（例えば、チャックアセンブリ又はコレット型のアセンブリを使用している）ロータリー切断工具に結合された工具ビット５７は、同工具ビット５７が開口部７０２の中心に設けられるように配置される。もう一つ別の実施形態に従って、工具ビットは、開口部７０２の中心以外の位置に配置される。更に、開口部７０２と伸長部７１４とは、ほぼ円形の形状を有するものとして示されているけれども、別の実施形態に従って、この開口部及び伸長部は、他の形状（例えば、卵形、正方形、矩形又はその他のあらゆる適切な形状）を有していても良い。
【００３９】
図１５及び１７乃至２１は、アタッチメント１０内に設けられても良く又は含まれても良い貯蔵トレイ又は区画室の種々の形状を図示している。図１７乃至２１には、図１乃至１５に示されたベース１８が設けられても良いけれども、示されていなくても良いことを明記しておく。図１５及び１７乃至２１に示された貯蔵トレイ又は区画室の如何なる構造も、図１に示されたアタッチメント１０内及び図示され且つ本明細書に記載された種々の好ましい例示的な実施形態によるアタッチメントの他の図面内に設けても良いことは明記しておく。
【００４０】
図１７は、第１の例示的な実施形態に従って、貯蔵トレイ又は区画室１４０を有しているアタッチメント１０の側面図である。貯蔵トレイ１４０は、アタッチメント１０の底部３４内に設けられており且つ種々の工具（例えば、ねじ、工具ビット等）を貯蔵し又は配置することができるチャンバ又は容器を画成している。このような貯蔵トレイは、ロータリー切断工具及びアタッチメントの使用中に使用することができる工具への比較的便利なアクセスを提供する。貯蔵トレイの大きさ及び形状は、代替的な実施形態に従って、図１７に示されたものと異なっていても良い。
【００４１】
好ましい実施形態に従って、貯蔵トレイ１４０は、同貯蔵トレイ１４０を、アタッチメント１０から、底部３４の軸線にほぼ平行な方向（矢印１４１によって図示されている）に滑らせることによって、アタッチメント１０から取り外すことができる。貯蔵トレイ１４０の表面１４２は、アタッチメント１０の外側面の一部分を形成している。貯蔵トレイ１４０をアタッチメント内に比較的堅固に保持するために、貯蔵トレイ１４０の面上に、クリップ又はその他の部材（図示せず）を設けても良い。貯蔵トレイがアタッチメント内に挿入されたときに、アタッチメント内の構造と係合するために、例えば、クリップのような弾性的に可撓性の部材を設けても良い。このような構造は、使用中に、貯蔵トレイがアタッチメントからゆるむ傾向を減じることができると予定されている。
【００４２】
もう一つ別の実施形態に従って、貯蔵トレイは、底部３４の軸線にほぼ直角（例えば、矢印１４１に直角）の方向に滑らせることによって、貯蔵トレイをアタッチメントから取り外しても良い。この実施形態においては、トレイの底面は、アタッチメントの外面の一部分を形成していても良い。もう一つ別の代替的な実施形態に従って、貯蔵トレイは、同貯蔵トレイがアタッチメントから完全に取り外すことが出来るように、ヒンジによってアタッチメントに結合されても良い（例えば、貯蔵トレイは、ヒンジ又はその他の構造を中心に回転されてアタッチメントから離れる）。
【００４３】
図１８及び１９を参照すると、第２の例示的な実施形態に従って、貯蔵トレイ又は区画室を有するアタッチメント１０が示されている。貯蔵トレイ２４０は、アタッチメント１０のハンドル部分１２内に設けられている。貯蔵トレイの大きさ及び形状は、代替的な実施形態に従って、図１８及び１９に示されているものと異なっていても良い。
【００４４】
好ましい実施形態に従って、貯蔵トレイ２４０は、（矢印２４１によって示されているように）ハンドル１２の軸線にほぼ平行な方向にアタッチメント１０から離れる方向に貯蔵トレイ２４０を滑らせることによって、アタッチメント１０から取り外しても良い。貯蔵トレイ２４０の面２４２は、アタッチメント１０の外面の一部分を形成している。図１８はまた、アタッチメントから取り外された貯蔵トレイ２４０の頂面図及び側面図である。図示されているように、複数の工具ビット５７を貯蔵トレイ２４０内に貯蔵しても良い。貯蔵トレイ２４０によって画成されたチャンバ又は容器の別個の部分を画成するためにリブ又は突出部が設けられても良く、同リブ又は突出部は、アタッチメント１０のユーザーが工具ビットをより容易に把持できるようにするために、貯蔵トレイ２４０内に貯蔵された工具ビットの一部分を持ち上げる役目を果たすことができる。
【００４５】
図１８を参照すると、付属品のクリップ２４５が貯蔵トレイ２４０の底面から取り外された状態で示されている。クリップ２４５は、如何なる受け入れ可能な手段（例えば、接着剤、ねじのような機械的な締結部材等）によって貯蔵トレイ２４０の底面に結合又は取り付けても良い。クリップ２４５は、点線２４６の両側にほぼ対称的な２つの部分を含んでいても良いし又は一方の側の部分のみ（例えば、点線の右側部分）を有していても良い。弾性的に可撓性の部材２４７が、２つの固定部材２４８の間に設けられており且つアタッチメント１０内に設けられた相補構造と係合する構造とされている。弾性的に可撓性の部材２４７は、貯蔵トレイ２４０がアタッチメント１０内に挿入されたときに、弾性的に可撓性の部材２４７を、クリップ２４５の面から外方へ撓むように付勢する湾曲部分２４９を含んでいても良い。貯蔵トレイをアタッチメント１０内に比較的堅固に保持するために、クリップのための種々の構造のいずれを使用しても良く、図示されたクリップは例示的なものであることのみを意図している。
【００４６】
図２１は、第３の実施形態による貯蔵区画室３４０を有しているアタッチメント１０の側面図である。貯蔵区画室３４０は、アタッチメント１０の本体１１内に設けられたチャンバとして形成されたものとして示されている。このようにして、貯蔵区画室は、別個の部品（例えば、取り外し可能なトレイ）が必要とされないように、アタッチメントの一部分と一体に形成されていても良い。跳ね上がりカバー又は扉３４２がヒンジ３４３によってアタッチメント１０に結合されていて、跳ね上がりカバー３４２が、ヒンジ３４３を中心に回転（矢印３４４によって示されている）してアタッチメント１０から離れるのを可能にしている。ヒンジ３４３は、一体ヒンジ又は一般的な機械的のヒンジであっても良い。跳ね上がりカバー３４２は、アタッチメント１０の外面の一部分を形成しており且つ貯蔵区画室３４０へのアクセスを可能にするために、アタッチメントの本体１１から離れる方向に回転させることができる。
【００４７】
図２１は、アタッチメント１０の本体１１のほぼ垂直方向部分内に形成された貯蔵区画室を示しており、一方、図２０は、アタッチメント１０のハンドル１２内に形成された貯蔵区画室４４０を示している。跳ね上がりカバー４４２が設けられており、これは、貯蔵区画室４４０へのアクセスを可能にするためにヒンジ４４３を中心に回転する。ヒンジ４４３は、一体ヒンジ又は機械式ヒンジであっても良い。跳ね上がりカバー４４２は、ハンドル１２の頂面の実質的な部分を画成し、それによって、貯蔵区画室４４０内に貯蔵される工具へのより大きなアクセス（例えば、ユーザーの指が工具を取り外すために区画室内へ届くことができること）を提供するような大きさとされている。これと対照的に、跳ね上がりカバー４４２は、ハンドル１２の頂面の小さい部分だけを画成し、それによって、貯蔵区画室４４０内に貯蔵された工具へのアクセスを制限するような大きさとすることができる（例えば、貯蔵区画室４４０内に貯蔵された物品は、ユーザーの指によってアクセスすることができ、物品が区画室から落下するように、アタッチメントを回転させることによって、貯蔵区画室からどっと落とされなければならない）。
【００４８】
図１５は、もう一つ別の実施形態に従って貯蔵区画室が内部に設けられたアタッチメント１０を示している。跳ね上がりカバー又は扉５５０が、ハンドル１２の後方に向かって設けられている。跳ね上がりカバー５５０はヒンジ機構５５３によってハンドル１２に結合されて、跳ね上がりカバー５５０がハンドル１２から離れる方向に外方へと回転するのを可能にしている。このようにして、貯蔵区画室５４０がハンドル１２内に設けられている。
【００４９】
図面を通して示されているように、ロータリー切断工具は、ハンドルを備えていないロータリー切断工具（例えば、アタッチメントから分解されたロータリー切断工具を示している図８及び１０を参照のこと）から、ロータリー切断工具の長手軸線にほぼ直角なハンドルを備えたロータリー切断工具（例えば、“糸鋸型”の構造）に転換することができる。ロータリー切断工具のユーザーは、加工物内に切れ目を形成するために、ロータリー切断工具からアタッチメント１０を取り外しても良い。例えば、ユーザーは、比較的小さい工具を必要とする比較的束縛された又は狭い空間内で加工物内にフリーハンドで切れ目を形成するか又は材料に切れ目を形成することを望むかも知れない。別の方法として、加工物の面に相対的に平行である把持面を有するハンドルを使用する利点は、ロータリー切断工具にアタッチメント１０をロータリー切断工具の軸線に直角に取り付けることによって得ることができる。アタッチメントは、ロータリー切断工具に結合された工具ビットの近さをユーザーが調節できるようにするベースを含んでいても良い。このようにして、ロータリー切断工具は、ハンドルを備えていないロータリー切断工具と、ロータリー切断工具の軸線に相対的に直角なハンドルを備えているロータリー切断工具との間で転換することができる。
【００５０】
ロータリー切断工具はまた、同ロータリー切断工具の軸線にほぼ平行なハンドルを有しているロータリー切断工具に転換できるような構造であっても良い。図２２は、ロータリー切断工具と共に使用するためのこのようなハンドルを示している。このハンドルは、アタッチメント１０内に設けられたものと類似した回転可能な部材７０を含んでいる。このハンドルはまた、ロータリー切断工具のハウジング内に設けられたスロットに挿入するようになされている固定された取り付け構造をも含んでいる。もう一つ別の実施形態に従って、この固定された取り付け構造は、アタッチメント１０上に設けられたものと類似したカラーに置き換えても良い。ハンドルは、ロータリー切断工具の軸線にほぼ平行な把持面を提供し、特別な実施形態においては、アタッチメント１０のために使用される方法と似た方法で、ロータリー切断工具に結合するようになされていても良い。このようにして、ロータリー切断工具は、ハンドルを備えていないロータリー切断工具と、ロータリー切断工具の本体にほぼ直角なハンドルを備えたロータリー切断工具との間のみならず、ロータリー切断工具の長手軸線にほぼ平行なハンドルを有するロータリー切断工具との間で転換可能であっても良い。この転換可能性は、ロータリー切断工具のユーザーに、ロータリー切断工具の取り扱い及び操作の点で高い適応性を許容する。例えば、ある種の用途においては、糸鋸が作動する方法と似た方法で切れ目を形成することが望ましいかも知れない。このような場合には、アタッチメント１０は、上記した利点のうちの一以上を提供するために、ロータリー切断工具に結合しても良い。別の用途においては、ロータリー切断工具の軸線にほぼ平行なハンドルを提供することが望ましいかも知れない。これらの場合には、このような特徴を提供する異なるハンドルをロータリー切断工具に結合させても良い。
【００５１】
上記の説明は、ロータリー切断工具の軸線に平行か直角であるロータリー切断工具のためのハンドルを提供するために、２つの異なる向きのハンドルを有する２つの別個のアタッチメントの使用を意図しているけれども、代替的な実施形態に従って、単一のアタッチメント２１０が、ロータリー切断工具のための平行な把持面と垂直な把持面との両方を提供しても良い（図２４に示されている）。例えば、アタッチメント２１０は、ロータリー切断工具の軸線にほぼ平行なハンドルと、ロータリー切断工具の軸線にほぼ直角なハンドルとの間で変更し且つこれらの両極端の間の全ての位置の間に変更するためにヒンジを中心に回転可能であるハンドル（及び対応する把持面）を含んでいても良い。このようなハンドルは、ロータリー切断工具の軸線に平行な位置と直角な位置との間のあらゆる位置に調節可能であっても良く且つねじ、ボルト、蝶ねじ又はその他のあらゆる機構を使用して、ロータリー切断工具ハウジングに固定した関係に固定することができる。
【００５２】
図２４は、この代替的な実施形態によるアタッチメント２１０の側面図である。アタッチメント２１０は、（図２４における紙面から延びている）軸線を中心に回転可能であるハンドル２１２を含んでいる。ハンドル２１２は、軸線を中心とするハンドル２１２の回転を可能にするために、ヒンジ２１４又はその他の装置と結合することができる。図２４に示されているように、ハンドル２１２は、アタッチメント２１０から結合されているロータリー切断工具の本体にほぼ直角な状態にハンドル２１２を配向するために、軸線２１１を中心として回転させることができる。
【００５３】
例示的な実施形態に従って、ハンドル２１２は、平行な配置と直角な配置との間のあらゆる位置に配置しても良い。もう一つ別の実施形態に従って、ハンドル２１２は、アタッチメントが係合されているロータリー切断工具の本体にほぼ平行か又はほぼ直角に配置することができ、ほぼ平行な配置とほぼ直角な配置との間の位置に配置することができなくても良い。
【００５４】
アタッチメント２１０は、（例えば、ロータリー切断工具の一部分を少なくとも部分的に包囲しているリングによって）単一の箇所においてロータリー切断工具に結合されているものとして示されているけれども、他の実施形態に従って、回転可能なハンドルを有するアタッチメントが、一以上の箇所においてロータリー切断工具に対して結合されるための構造とされていても良い（例えば、図１に示されたアタッチメントと類似して、ハンドル２１２に似たハンドルが、ほぼ平行な配置とほぼ直角な配置との間を軸線を中心に回転されても良い）。このような回転可能なハンドルを有しているアタッチメントのための種々の構造のうちのいずれを使用しても良く、特定の設計は種々のファクタ（例えば、コスト、生産性等）に依存する。
【００５５】
図２３は、代替的な実施形態によるロータリー切断工具のためのアタッチメント３１０を示している。アタッチメント３１０は、ハンドル３１２を含んでおり、ハンドル３１２は、同ハンドルが結合されるか又は取り付けられているロータリー切断工具の軸線にほぼ直角に延びており且つ前方把持面３３０と後方面３３２とを含んでいる。アタッチメント３１０は、第１の取り付け機構３１４と第２の取り付け機構３１６とを備えたロータリー切断工具に結合されている。第１の取り付け機構３１４は、図２に示された機構１４に関して記したものと類似した特徴を含んでいても良いし又はそれとは異なっていても良い。ハンドル３１２をロータリー切断工具に結合するあらゆる許容可能な手段を使用しても良い。ロータリー切断工具に対して２つの結合箇所（例えば、第１及び第２の取り付け機構３１４及び３１６）を提供する一つの有利な特徴は、ハンドル３１２が、一カ所のみでロータリー切断工具に結合される取り除き可能／取り外し可能なハンドルと比較して比較的堅固にロータリー切断工具に締結することができることである。
【００５６】
アタッチメント３１０のようなアタッチメントを提供する一つの有利な特徴は、このアタッチメントが、ロータリー切断工具が設けられる現存の構成部品と共に使用することができることである。例えば、このアタッチメントを図２３に示されたロータリー切断工具に結合することによって、図２２に示されたような別個の深さガイド６６をアタッチメント５１０と同時に使用することができる。これと対照的に、図２に示されたもののようなアタッチメントがロータリー切断工具に結合されるようになされている場合には、図２２に示された深さガイド６６は、図２２に示された深さガイド６６と結合するためにも使用されるロータリー切断工具ハウジングの一部分に結合するカラー１６を使用するアタッチメントが結合されているので、使用することができない。アタッチメント３１０のようなアタッチメントを提供することのもう一つ別の有利な特徴は、このようなアタッチメントが、より少ない構成部品（従って、より少ない材料）を含んでおり、従って、製造者にとってより簡素で且つより低廉であることである。
【００５７】
好ましいその他の例示的な実施形態に示されているアタッチメントの構成部品の構造及び配置は単に例示的なものである。本明細書においては、少数の実施形態のみを詳細に説明したけれども、本明細書を検討する当業者は、多くの変形例（例えば、大きさ、寸法、構造、種々の構成部品の形状及び比率、パラメータの値、取り付け構造、材料の使用、配向等）が、本明細書に開示された主題の新規な教示及び利点から実質的に逸脱することなく可能であることを容易に理解するであろう。例えば、一体的に形成された部品は、多数の部品又は部材によって構成しても良く、部品の位置は、逆にしても良く、さもなければ変更しても良く、別個の部品又は位置の特性又は数を作り変えるか変更しても良い。この装置の部品及び／又はアセンブリは、広範囲の色、手触り及びこれらの組み合わせの広範囲の成形可能なプラスチック材料のいずれかを含む十分な強度又は耐久性を提供する広範囲の材料のうちのいずれによって作っても良い。プロセス又は方法のステップの順序又は配列は、代替的な実施形態に従って変更しても良いし又は再配列しても良い。特許請求の範囲におけるあらゆるミーンズ・プラス・ファンクション文節は、開示された機能を果たすものとしてここに記載された構造を包含することを意図し且つ構造的な等価物のみならず等価構造をも包含することを意図している。特許請求の範囲に示された本発明の範囲から逸脱することなく、好ましい他の例示的な実施形態の設計、作動条件及び配置に、他の代用、変形及び省略を加えても良い。
【図面の簡単な説明】
【００５８】
【図１】第１のロータリー切断工具に結合された本発明の好ましい実施形態によるアタッチメントの頂部前方斜視図である。
【図２】ロータリー切断工具を備えていない状態で示された本発明の好ましい実施形態によるアタッチメントの、図１に似た斜視図である。
【図３．Ａ】図３．Ａは、後退位置にある当該アタッチメントのベースを示している、図２に示されたアタッチメントの側方立面図である。
【図３．Ｂ】図３．Ｂは、伸長位置にある当該アタッチメントのベースを示している、図２に示されたアタッチメントの側方立面図である。
【図３．Ｃ】図３．Ｃは、図３．Ａの線３Ｃ−３Ｃに沿ったアタッチメントの断面図である。
【図４】図４は、図２に示されたアタッチメントの前方立面図である。
【図５】図５は、図２に示されたアタッチメントの後方立面図である。
【図６】図６は、図２に示されたアタッチメントの上方平面図である。
【図７】図７は、図２に示されたアタッチメントの分解斜視図である。
【図８】図８は、図１に示されたアタッチメント及び第２のロータリー切断工具の部分分解頂部後方斜視図である。
【図９】図１に示されたアタッチメント及び第１のロータリー切断工具の側方立面図である。
【図１０】例示的な実施形態によるアタッチメント及び第３のロータリー切断工具の部分分解頂部後方斜視図である。
【図１１】ゴミ収集装置及び第２のロータリー切断工具を備えた図２に示されたアタッチメントの頂部前方斜視図である。
【図１２】切刃ガイドに結合された図１１に示されたアタッチメント及び第２のロータリー切断工具の頂部前方斜視図である。
【図１３】ガイド又は従動子に結合された図１１に示されたアタッチメント及び第２のロータリー切断工具の頂部前方斜視図である。
【図１４】図１３に示されたアタッチメント、第２のロータリー切断工具及びガイド又は従動子の頂部前方斜視図である。
【図１５】図１３に示されたアタッチメント、第２のロータリー切断工具及びガイド又は従動子の部分分解頂部前方斜視図である。
【図１６】図１１に示されたガイド又は従動子の底部後方斜視図である。
【図１７】図２に示されたものと類似しており、第１の例示的な実施形態に従って設けられた貯蔵トレイ又は区画室を有するアタッチメントの断面図である。
【図１８】図２に示されたものと類似しており、第２の例示的な実施形態によって設けられた貯蔵トレイ又は区画室を有し、アタッチメントへの貯蔵トレイ又は区画室の比較的確実な取り付けを提供するクリップを含んでいるアタッチメントの頂部後方斜視図である。
【図１９】図２に示されたものと類似しており、図１８に示された第２の例示的な実施形態によって設けられた貯蔵トレイ又は区画室を有しているアタッチメントの断面図である。
【図２０】図２に示されたものと類似しており、第３の例示的な実施形態によって設けられた貯蔵区画室を有しているアタッチメントの断面図である。
【図２１】図２に示されたものと類似しており、第４の例示的な実施形態によって設けられた貯蔵区画室を有しているアタッチメントの断面図である。
【図２２】例示的な実施形態による第２のアタッチメントと深さガイドとに結合されたロータリー切断工具の頂部後方斜視図である。
【図２３】ロータリー切断工具に結合された例示的な実施形態による第３のアタッチメントの側面図である。
【図２４】アタッチメントが結合されるロータリー切断工具の本体に対してほぼ平行な配置で設けられたハンドルを有している例示的な実施形態によるアタッチメントの側面図である。
【図１】
2004209642.tif 000003
【図２】
2004209642.tif 000004
【図３．Ａ】
2004209642.tif 000005
【図３．Ｂ】
2004209642.tif 000006
【図３．Ｃ】
2004209642.tif 000007
【図４】
2004209642.tif 000008
【図５】
2004209642.tif 000009
【図６】
2004209642.tif 000010
【図７】
2004209642.tif 000011
【図８】
2004209642.tif 000012
【図９】
2004209642.tif 000013
【図１０】
2004209642.tif 000014
【図１１】
2004209642.tif 000015
【図１２】
2004209642.tif 000016
【図１３】
2004209642.tif 000017
【図１４】
2004209642.tif 000018
【図１５】
2004209642.tif 000019
【図１６】
2004209642.tif 000020
【図１７】
2004209642.tif 000021
【図１８】
2004209642.tif 000022
【図１９】
2004209642.tif 000023
【図２０】
2004209642.tif 000024
【図２１】
2004209642.tif 000025
【図２２】
2004209642.tif 000026
【図２３】
2004209642.tif 000027
【図２４】
2004209642.tif 000028
【外国語明細書】
2004209642000001.pdf